(57)【要約】【課題】トップガイドや穂先の損傷を防止し、仕掛けの交換を容易にすることができる接続具の提供。【解決手段】トップガイドや穂先の損傷を防止すると共に、接続具６が受ける水の抵抗を低減するために、接続具本体１０の道糸接続部１１に、ゴムやプラスチックなどを含む高分子材料で形成され、道糸接続部１１側からトップガイド側に向かって外形寸法が徐々に大きくなる円錐形等の形状の保護部１４を固定する。また、保護部１４を配置しても道糸５を道糸接続部１１に容易に接続できるようにするために、保護部１４の中心軸に沿って貫通孔を設け、補助糸１５の折り返し部分を道糸接続部１１にくぐらせて貫通孔から外側に引き出し、補助糸１５の折り返し部分に道糸５を通して補助糸１５の両端側の引っ張ることによって道糸５を道糸接続部１１にくぐらすことができるようにする。【選択図】図５
0003137041.tif 000002
【実用新案登録請求の範囲】
【請求項１】
道糸とハリスとを接続する接続具であって、
前記道糸を接続する道糸接続部と、前記ハリスを接続するハリス接続部と、前記道糸接続部と前記ハリス接続部とを連結する連結部と、を少なくとも備える接続具本体と、
前記道糸接続部を覆うように固定される保護部と、で構成され、
前記保護部は、高分子材料で形成され、前記道糸接続部側から釣り竿の穂先に固定されるトップガイド側に向かって外形寸法が徐々に大きくなる形状であり、かつ、その中心軸に沿って前記道糸を通す貫通孔が形成されていることを特徴とする接続具。
【請求項２】
更に、前記道糸を前記道糸接続部に接続するための補助糸を備え、前記補助糸の折り曲げ部分は、前記貫通孔を通って前記道糸接続部をくぐり、再び前記貫通孔を通って外部に引き出されていることを特徴とする請求項１記載の接続具。
【考案の詳細な説明】
【技術分野】
【０００１】
本考案は、釣り具に関し、特に、道糸とハリスとを接続するための接続具に関する。
【背景技術】
【０００２】
釣り具、特に、リールで魚を釣り上げる釣り具は、根元側にリールを備え、先端側にリング状のガイド（以下、トップガイドと呼ぶ。）を備える釣り竿と、リールに巻き上げられる釣り糸（以下、道糸と呼ぶ。）と、釣り針や錘、浮きなどが接続される釣り糸（以下、ハリスと呼ぶ。）と、道糸とハリスとを接続するためのヨリモドシやサルカン、テンビンなどの接続具などで構成される。
【０００３】
上記接続具は、道糸を接続するリング状の道糸接続部と、ハリスを接続するリング状のハリス接続部と、道糸接続部とハリス接続部とを連結する連結部などからなり、道糸接続部とハリス接続部とを連結部を介して回転可能に連結することにより、道糸とハリスの捻れを解消したり、仕掛けの取り替えを容易にしている（例えば、下記特許文献１参照）。
【０００４】
【特許文献１】登録実用新案公報第３０４８８１５号
【考案の開示】
【考案が解決しようとする課題】
【０００５】
上記構成の釣り具において、道糸はリールからトップガイドを介して接続具に接続されているため、魚を釣り上げる際にリールに巻き上げると、道糸先端に固定された接続具がトップガイドや釣り竿先端部の穂先に衝突する。
【０００６】
ここで、接続具を構成する道糸接続部やハリス接続部、連結部は、釣り上げ時の負荷に耐えるようにステンレススチールや真鍮などの金属材料で形成され、トップガイドは、釣り竿先端部の軽量化を図るためにチタンなどの金属材料で形成されると共に、その内側に道糸の滑りをよくするためのシリコンカーバイトなどが配置され、釣り竿本体は可撓性を高めるためにカーボンファイバーなどで形成されているため、接続具がトップガイドや釣り竿先端部の穂先に衝突すると、トップガイドの内側のシリコンカーバイトや穂先を損傷したり、場合によっては穂先を折ってしまうという問題があった。
【０００７】
また、従来の接続具は、直径が数ｍｍ程度の道糸接続部とハリス接続部とが連結部で連結された小さくかつ複雑な構造であるため、リング状のトップガイドの中に嵌り込みやすく、トップガイドから接続具を取り出す際に、接続具とトップガイドとが擦れあってトップガイドの内側のシリコンカーバイトを損傷したり、接続具の取り出しに時間がかかるという問題があった。
【０００８】
本考案は、上記問題点に鑑みてなされたものであり、その主たる目的は、トップガイドや穂先の損傷を防止することができる接続具を提供することにある。また、本考案の他の目的は、仕掛けの交換を容易にすることができる接続具を提供することにある。
【課題を解決するための手段】
【０００９】
上記目的を達成するため、本考案は、道糸とハリスとを接続する接続具であって、前記道糸を接続する道糸接続部と、前記ハリスを接続するハリス接続部と、前記道糸接続部と前記ハリス接続部とを連結する連結部と、を少なくとも備える接続具本体と、前記道糸接続部を覆うように固定される保護部と、で構成され、前記保護部は、高分子材料で形成され、前記道糸接続部側から釣り竿の穂先に固定されるトップガイド側に向かって外形寸法が徐々に大きくなる形状であり、かつ、その中心軸に沿って前記道糸を通す貫通孔が形成されているものである。
【００１０】
本考案においては、更に、前記道糸を前記道糸接続部に接続するための補助糸を備え、前記補助糸の折り曲げ部分は、前記貫通孔を通って前記道糸接続部をくぐり、再び前記貫通孔を通って外部に引き出されている構成とすることができる。
【考案の効果】
【００１１】
本考案によれば、接続具本体の道糸接続部に、ゴムやプラスチックなどを含む高分子材料で形成され、道糸接続部側からトップガイド側に向かって外形寸法（外径や外周長）が徐々に大きくなる円錐形等の形状の保護部が固定されており、リールを巻き上げても、金属材料で形成された接続具本体がトップガイドや穂先に接触することなく、保護部がトップガイドや穂先に接触するため、トップガイド（特に、内側のシリコンカーバイト）や穂先の損傷を未然に防止することができる。
【００１２】
また、保護部をトップガイド側に向かって外形寸法が徐々に大きくなる円錐形等の形状とすることにより、接続具が受ける水の抵抗を低減することができるため、仕掛けをスムーズに投げ入れることができる。
【００１３】
更に、保護部には中心軸に沿って貫通孔が設けられ、補助糸の折り返し部分が、貫通孔を通って道糸接続部をくぐり、再び貫通孔を通って外側に引き出されており、補助糸の折り返し部分に道糸を通して補助糸の両端側を引っ張るだけで、道糸を道糸接続部にくぐらせることができるため、道糸の接続や仕掛けの交換を容易にすることができる。
【考案を実施するための最良の形態】
【００１４】
背景技術で示したように、道糸とハリスとを接続するために、道糸接続部とハリス接続部とが連結部で連結された接続具が用いられているが、この接続具は金属材料で形成されており、小さくかつ複雑な構造であるため、リールを巻き上げる際に、接続具がトップガイドや穂先に衝突してトップガイドの内側のシリコンカーバイトや穂先を損傷したり、接続具がトップガイドに嵌り込んでトップガイドの内側のシリコンカーバイトを損傷してしまうという問題があった。
【００１５】
この問題に対して、道糸接続部にトップガイドや穂先よりも柔らかい緩衝部材を配置する構造が考えられるが、道糸接続部にこのような緩衝部材を配置すると、この緩衝部材によって水の抵抗が大きくなり、仕掛けをスムーズに投げ入れることができなくなってしまう。また、道糸接続部を緩衝部材で覆ってしまうと、道糸を道糸接続部に接続しにくくなり、仕掛けの交換作業が困難になってしまう。
【００１６】
そこで、本考案では、トップガイドや穂先の損傷を防止すると共に、接続具が受ける水の抵抗を低減するために、接続具本体の道糸接続部に、ゴムやプラスチックなどを含む高分子材料で形成され、道糸接続部側からトップガイド側に向かって外形寸法が徐々に大きくなる円錐形等の形状の保護部を固定する。また、保護部を配置しても道糸を道糸接続部に容易に接続できるようにするために、保護部の中心軸に沿って貫通孔を設け、補助糸の折り返し部分を道糸接続部にくぐらせて貫通孔から外側に引き出し、補助糸の折り返し部分に道糸を通して補助糸の両端側の引っ張ることによって道糸を道糸接続部にくぐらすことができるようにする。以下、図面を参照して説明する。
【実施例】
【００１７】
本考案の一実施例に係る接続具について、図１乃至図５を参照して説明する。図１は、本実施例の釣り具の構成例を示す図であり、図２は、本実施例の接続具を拡大した図である。また、図３は、接続具本体に保護部を固定する様子を示す図であり、図４は保護部の形状のバリエーションを示す図である。また、図５は、本実施例の接続具に道糸を接続する様子を示す図である。
【００１８】
図１に示すように、本実施例の釣り具１は、釣り竿２と、一端が釣り竿２に固定される釣り糸（以下、道糸５と呼ぶ。）と、一端又はその途中に釣り針９や錘８、浮き（図示せず）などの仕掛けが接続される釣り糸（以下、ハリス７と呼ぶ。）と、道糸５とハリス７とを接続する接続具６などで構成される。
【００１９】
釣り竿２のにぎり側には、スプールを回転させて釣り糸を巻き取る両軸受けリールや片軸受けリール、スプールを回転させずに釣り糸を出し入れするスピニングリールなどのリール３が固定され、釣り竿２の先端の穂先には、道糸５を通すリング状のガイド（以下、トップガイド４と呼ぶ。）が設けられている。このトップガイド４は、釣り上げ時の負荷に耐え、かつ、釣り竿２の先端の軽量化を図るため、通常、チタンなどの金属材料で形成され、その内側には道糸５の滑りをよくするためのシリコンカーバイトなどが配置される。
【００２０】
また、図２に示すように、本実施例の接続具６は、接続具本体１０と、本考案の特徴部分である保護部１４とで構成される。
【００２１】
具体的には、図２（ａ）に示すように、接続具本体１０は、道糸５を接続するためのリング状の道糸接続部１１と、ハリス７を接続するためリング状のハリス接続部１２と、これらを回転可能に保持し、釣り糸の捩れを防ぐ連結部１３などで構成されており、図２（ｂ）に示すように、道糸接続部１１に保護部１４が固定されている。なお、図２（ａ）、（ｂ）では、道糸接続部１１及びハリス接続部１２をリング状にしているが、これらは釣り糸を固定できる構造であればよく、その形状やサイズは特に限定されない。また、連結部１３は、道糸接続部１１とハリス接続部１２とを連結可能な構造であればよく、その形状やサイズ、回転機構などは特に限定されない。また、図２（ａ）、（ｂ）では、連結部１３の両側に道糸接続部１１とハリス接続部１２とが接続される２徳構造を示しているが、本考案の接続具６は、接続具本体１０の道糸接続部１１に保護部１４を取付け可能な構造であればよく、例えば、図２（ｃ）に示すように、ハリス７や錘８、浮きなどを接続するためのスナップを備えた構造としてもよいし、図２（ｄ）に示すように、接続部を３つ設けた３徳構造としてもよいし、図２（ｅ）に示すように、錘８や浮きなどを接続するためのテンビンを備えた構造としてもよい。更に、接続具本体１０は、釣り上げ時の負荷に耐えるように、通常、ステンレススチールや真鍮などの金属部材で形成されるが、道糸５とハリス７とを確実に接続できる限りにおいて、その材料は特に限定されない。
【００２２】
また、図３（ａ）に示すように、保護部１４は、外径が徐々に変化する形状であり、外径が小さい方の端部が道糸接続部１１に固定されている。また、他方の端部の外径は、道糸接続部１１側の外径よりも大きくなっており、好ましくは、トップガイド４の内径よりも大きくなっている。また、保護部１４の中心軸に沿って、道糸５を通すための貫通孔が形成されている。
【００２３】
ここで、保護部１４の他方の端部の外径をトップガイド４の内径よりも大きくしているのは、リール３で道糸５を巻き上げた時に、保護部１４がトップガイド４内に嵌り込まないようにするためである。また、保護部１４の外径を道糸接続部１１側からトップガイド４側に向かって徐々に大きくしているのは、仕掛けを投げ入れる際に、保護部１４が受ける水の抵抗を小さくするためである。
【００２４】
上記保護部１４の材料は、トップガイド４や釣り竿１の穂先に接触してもトップガイド４（特に、内側のシリコンカーバイト）や穂先を容易に損傷することなく、かつ、耐水性の高い材料であればよいが、図３（ｂ）に示すように、保護部１を道糸接続部１１に被せることができるように変形可能な柔軟な材料を用いることが好ましく、例えば、天然ゴム、合成ゴム、ラバーなどのゴム、ポリエチレン(PE)、ポリプロピレン(PP)、ポリ塩化ビニル(PVC)、ポリ塩化ビニリデン、ポリスチレン(PS)、ポリ酢酸ビニル(PVAc)、ポリテトラフルオロエチレン(PTFE）、ABS樹脂（アクリロニトリルブタジエンスチレン樹脂）、AS樹脂、アクリル樹脂(PMMA）、ポリアミド(PA)、ナイロン、ポリアセタール(POM)、ポリカーボネート(PC)、変性ポリフェニレンエーテル（m-PPE、変性PPE）、ポリブチレンテレフタレート(PBT)、ポリエチレンテレフタレート(PET)、環状ポリオレフィン(COP)などのプラスチック（上記ゴムやプラスチックを総称して樹脂材料と呼ぶ。）、上記樹脂材料を媒体中に分散させた材料（例えば、ラテックス）、上記樹脂材料に他の材料を添加した材料（例えば、ゴムにカーボンを添加した材料）等の高分子材料で形成することができる。
【００２５】
なお、図３では、保護部１４の端部を押し広げて道糸接続部１１に被せることによって保護部１４を道糸接続部１１に固定し、これにより道糸接続部１１近傍で道糸５が露出しないようにして他の部材との接触による損傷を防止しているが、固定構造は特に限定されない。また、図３では、保護部１４を円錐形にしているが、道糸接続部１１側の端部よりもトップガイド４側の端部の方が外径が大きければよく、例えば、図４（ａ）に示すようなお椀型にしてもよいし、図４（ｂ）に示すようなラッパ型にしてもよい。また、上記では保護部４の断面形状を円形としたが、保護部１４は道糸接続部１１側の端部よりもトップガイド４側の端部の方が外周長が大きければよく、例えば、図４（ｃ）に示すように、図の表裏面側から押しつぶした形状としてもよい。また、図３では、保護部１４の貫通孔の内径をほぼ等しくし、これによりトップガイド４側の端部の肉厚を厚くして強度を向上させているが、例えば、図４（ｄ）に示すように、トップガイド４に向かって貫通孔の内径を大きくして肉厚をほぼ等しくし、比較的硬い材料でも容易に変形できるようにしてもよいし、道糸接続部１１に固定しやすくするために道糸接続部１１の外径に合わせて保護部１４の内径を変化させてもよい。
【００２６】
上記構造の保護部１４を道糸接続部１１に固定することによって、トップガイド４（特に、内側のシリコンカーバイト）や穂先を傷つけることなく、かつ、仕掛けの投げ入れをスムーズに行うことができるが、道糸接続部１１に道糸５を接続する場合には、保護部１４を一旦、道糸接続部１１から取り外し、保護部１４の貫通孔に道糸５を通して道糸接続部１１に接続した後、再び保護部１４を道糸接続部１１に固定する必要があり、仕掛けを頻繁に交換する場合に作業が繁雑になる。
【００２７】
そこで、本実施例では、保護部１４を道糸接続部１１に固定したままの状態で、道糸５を道糸接続部１１に接続できるようにしている。具体的には、図５（ａ）に示すように、予め補助糸１５（糸の種類は特に限定されない。）を２つ折りに折り曲げ、その折り曲げ部分を保護部１４の貫通孔に通し、道糸接続部１１をくぐらせ、再び貫通孔を通して外部に引き出している。
【００２８】
そして、図５（ｂ）に示すように、補助糸１５の折り返し部分に道糸５を通した後、補助糸１５の両端部を引っ張ることによって、図５（ｃ）に示すように、道糸５が貫通孔内に引きずり込まれ、道糸接続部１１をくぐった後、図５（ｄ）に示すように貫通孔から引き出される。その後、道糸５を結び合わせることによって道糸接続部１１に道糸５を固定することができる。
【００２９】
このように、予め、補助糸１５の折り曲げ部分を貫通孔に通し、道糸接続部１１をくぐらせた後、貫通孔から引き出しておくことにより、保護部１４を道糸接続部１１に固定したままの状態で、道糸５を道糸接続部１１に簡単に接続することができ、これにより、仕掛けの交換を容易にすることができる。
【００３０】
なお、上記実施例では、釣り具１に接続具６を１つ備える構成を示したが、本考案は上記実施例に限定されるものではなく、釣り具１に接続具６を複数備える構成としてもよく、その場合は、トップガイド４に最も近い接続具６の道糸接続部１１に保護部１４が固定されていればよい。
【図面の簡単な説明】
【００３１】
【図１】本考案の一実施例に係る釣り具の構成例を示す図である。
【図２】本考案の一実施例に係る接続具の構成例を示す図である。
【図３】本考案の一実施例に係る保護部を道糸接続部に固定する様子を示す図である。
【図４】本考案の一実施例に係る保護部の他の構成例を示す図である。
【図５】本考案の一実施例に係る道糸接続部に道糸を接続する様子を示す図である。
【符号の説明】
【００３２】
１  釣り具
２  釣り竿
３  リール
４  トップガイド
５  道糸
６  接続具
７  ハリス
８  錘
９  釣り針
１０  接続具本体
１１  道糸接続部
１２  ハリス接続部
１３  連結部
１４  保護部
１５  補助糸
【図１】
0003137041.tif 000003
【図２】
0003137041.tif 000004
【図３】
0003137041.tif 000005
【図４】
0003137041.tif 000006
【図５】
0003137041.tif 000007